(57)【要約】【課題】  海洋水はミクロ汚染物質が海底に沈まず浮遊・漂流して汚染悪化・汚濁し海水の色彩は透明度を失っている。太陽入射光は海底に届かず、海藻の成育が阻害され漁獲の低下を来している。また、汚染物質の作用で海水温度を上昇させる発熱反応が起きている。その原因で低気圧の勢力を巨大化させ嵐の社会被害を増大させている。【解決手段】  浮遊・漂流するミクロ汚染物質をその海流域に竹炭を配置して浄化する。水流のある河川では海洋への流入地点で竹炭による浄化は有効である。水流の小さな河川・湖沼ではその領域内を船で竹炭を引いて浄化する方法にする。【選択図】図４
2017006105.tif 000002
【特許請求の範囲】
【請求項１】
海洋を汚染させ、海水温度を上昇させ、入射太陽光が海底に届くことを妨げているミクロ汚染物質を炭粉（すみこ）の無い竹炭の多孔質特性を活用して吸着浄化する方法。
【請求項２】
炭粉の無い竹炭製法は竹炭焼成後に水槽冷却と炭粉の除去洗浄を兼ねて行うことを特長とする方法。
【請求項３】
海水浄化の変化確認を航海中の船舶から海水の濁り具合と色彩をみて知ることを特長とする方法。
【発明の詳細な説明】
【技術分野】
【０００１】  竹・竹炭の成長力・多孔質特性を活用して陸海空の環境悪化抑制に関する。
【背景技術】
【０００２】  枯渇しない竹資源を活用して生命・環境・エネルギーに寄与する研究を長年月にわたり自然界と向き合い、内外広域・地球圏の環境変化を捉えてきた。（非特許文献１）
国立環境研究所（ＧＯＳＡＴ観測衛星いぶき）が平成２１年に捉えた地球圏の温暖化ガス濃度は光合成の盛んな季節に減少する明快な記録がある。（竹の顕著な特性である生命力・環境力・エネルギー力を示す根拠の一つである。）
竹炭の細孔は２０Å（オングストローム）〜１０００Åである。その比表面積は約３００ｍ２／ｇである。本発明ではこの竹炭が海流中を浮遊漂流するミクロ汚染物質を吸着浄化して海水温上昇を止めることを目的とする。長期戦を心して自然と向き合い続けて効果を発揮させる。
【非特許文献】
【非特許文献１】
【０００３】  平成２０年７月１４日・同社の特許出願「竹類や樹木のセルロース系原料からエタノール燃料の製造法」
【非特許文献２】
【０００４】  竹と水を原料にして安価・良質燃料の製法に関するライセンス事業展開
【発明の概要】
【発明が解決しようとする課題】
【０００５】  ＰＭ２．５や黄砂・ミクロの汚染体が海水中を漂流して海洋汚染を悪化させている。ミクロ汚染体は浮力を受けて海底には沈まない。汚染濃度が高くなると海水は濁り色彩が変わる。太陽光を遮り、発熱反応で海水温度の上昇を来している。そして、上空に発生する低気圧の渦流勢力を巨大化させる。又、太陽光は海底まで届かない。それにより、海草・藻の成育不良で魚類の餌が減少している。その影響を受けて漁獲の低下を来している。海洋を浄化して、これらの地球環境悪化問題を人類の力を結集して解消に向けることにある。
【課題を解決するための手段】
【０００６】  海水中を浮遊漂流するミクロ汚染物質を多孔質の竹炭で吸着浄化する。使用後の竹炭は燃料発電に使用する。
【発明の効果】
【０００７】  ミクロ汚染体が太陽光の入射により引き起こす発熱反応はその浄化によって抑制されて海水温上昇が止まる。そして、太陽光は海底まで届き海草の成育が回復する。魚類の餌が増加して漁獲が回復する。海水温上昇が止まることにより嵐の巨大化が抑制できる。そして、社会の被災規模が縮小できる。
【図面の簡単な説明】
【０００８】  海洋汚染しているミクロ汚染物質を浄化する竹炭の模式図「図４」を示す。海洋投棄の国際法改定も視野に入れている。【０００９】
【図１】  水道水・汚染水・汚染水に竹炭投入で浄化水においての水温上昇を比較する予備試験要領の写真を示す。日中の太陽光で汚染水の温度上昇が水道水より大きいこと、日没後に投入した竹炭は、容器内の水を攪拌しミクロ汚染物質を吸着させ、黒色竹炭で放射熱を大きくする作用を加えて水温低下の効果を捉える。データを以下に示す。２０１５年３月  牛久市刈谷研究所  屋外  予備試験データと結果  試験場所  北緯３９．９７度  東経１４０．１２度  海抜２０．２ｍ  ▲１▼▲２▼▲３▼ガラス製容器、市販品の汚染砂、ガーゼに包んだ竹炭、定時に攪拌  １３日  晴れ・湿度３７〜２１％・１０１５ｈＰａ・風速１０ｋｍ／ｈ  １４日  曇り時々晴れ・湿度７８〜２０％・１０１７ｈＰａ・風速１０Ｋｍ／ｈ  ▲１▼水道水５００ｃｃ  ▲２▼水道水５００ｃｃ＋汚染砂１０ｇ＋竹炭１０ｇ  ▲３▼水道水５００ｃｃ＋汚染砂８０ｇ＋竹炭１０ｇ
2017006105.tif 000003
2017006105.tif 000004
【００１０】
【図２】  鹿島灘の海水（２０１５年４月１日取水、取水時の水温１２．５℃）、銚子沖の黒潮海水（２０１５年５月３日取水、取水時の水温２０．５℃）で竹炭による効果試験要領の写真を示す。鹿島灘で取水した海水の放射線（γ線）量は安全な数値を示している。そのデータ（参考値）を以下に示す。
2017006105.tif 000005補足  月日は２０１５年の試験日、線量の単位  マイクロシーベルト／時  数値は１０秒刻みの表示値  測定器  ＨＯＲＩＢＡ  Ｒａｄｉ  ＭＯＤＥＬ  ＰＡ−１０００（牛久市役所環境部環境政策課放射能対策室で借用）【００１１】
【図３】  日本近海の主な汚染海流を示す。対馬海流で汚染進行している山口県の漁獲減少のテレビ報道もある。航行する船舶船員から海水汚染の濁りの色彩や漁業者の漁獲減少で収支悪化の声が増大している。
【００１２】
【図４】  海洋水を浄化する竹炭の模式図を示す。黒潮海水の速度は人の歩くスピード（１ｋｍ１０分）と言われている。この竹炭筏（いかだ）は、海流よりも遅い速度であり波を受けてその軌道・位置をとる。海洋試験の対象領域で確認する。
【発明を実施するための形態】
【００１３】  浄化竹炭を設置する緯度経度を決定して日没後に設置、海流で漂流する日の出前の位置で浄化竹炭を回収する。これを毎日繰り返す。
【実施例】
【００１４】  竹炭焼成後に水洗冷却して炭粉のない竹炭をつくる。それを、網目の小さい網に入れる。竹炭に浮力が作用する。水深と海流領域の幅・速度に合わせて、  「図４」に示す姿形で日没後に所定の緯度・経度の場所に入れる。そして、日の出前に海流で移動した場所で竹炭を集荷して所定の港へ移して陸に揚げる。使用後の竹炭は発電用にリユースする。
【産業上の利用可能性】
【００１５】  水産業の活性、竹林の育成で内外に新産業と循環力の大きな安全社会の育成に寄与することが出来る。
【符号の説明】
【００１６】  図１  ▲１▼水道水５００ｃｃ  ▲２▼（水道水５００ｃｃ）＋（汚染砂）
▲３▼水道水（５００ｃｃ）＋（汚染砂）＋（ガーゼに包んだ竹炭）
図２  ▲４▼（海水５００ｃｃ）＋（竹炭）  ▲５▼（海水５００ｃｃ）＋（竹炭）
▲６▼（海水５００ｃｃ）＋（汚染砂）＋（竹炭）
▲７▼放射線（γ線）測定器  ▲８▼▲４▼から取り出した竹炭
▲９▼▲５▼から取り出した竹炭  ▲１０▼▲６▼から取り出した竹炭
図３  ▲１１▼黒潮海流  ▲１２▼親潮海流  ▲１３▼対馬海流
図４  ▲１４▼竹材等の浮具  ▲１５▼ロープ  ▲１６▼目の小さい網・ネット（中に竹炭）
▲１７▼海  ▲１８▼重り  ▲１９▼海底
【図１】
2017006105.tif 000006
【図２】
2017006105.tif 000007
【図３】
2017006105.tif 000008
【図４】
2017006105.tif 000009